(57)【要約】【課題】撮像装置において、フレキシブルプリント配線板の折り畳まれた余長部２８ｃの収納の際にフレキシブルプリント配線板を１８０度折り曲げて、引っ掛け爪で挟持し固定する方法において、組み立て作業性を改善し、曲げ部が開き方向に作用する力を抑制し、フレキシブルプリント配線板を傷つけることなく安定して保持させる。【解決手段】上記課題を解決するために、本発明に係る撮像装置は、ユニットの制御回路基板と、制御回路基板を保護するカバー部材と、制御回路基板に実装されたコネクタに電気的に接続されるフレキシブルプリント配線板を有し、カバー部材にはカバー部材の主平面から主平面と垂直方向に延びる根本部と、前記根本部から主平面に平行に伸びる先端部とから成り、先端部は、根本部から遠い部分が根本部側よりも幅広い形状でフレキシブルプリント配線板を固定するための引っ掛け爪を設ける。【選択図】図５（ｂ）
2016019004.tif 000002
【特許請求の範囲】
【請求項１】
上面カバー（１８）に保持され、制御回路基板（３３ｂ）を有する表示装置（３３）と複数の光学レンズからなる電子ビューファインダーユニット（２５）と、上面カバー（１８）に保持されストロボユニット（１９）の発光制御のためのストロボ基板（２９）と、制御回路基板（３３ｂ）とストロボ基板（２９）と主基板を電気的に接続するフレキシブルプリント配線板（２８）からなる上面カバーユニット（２４）を有する撮像装置（１０）において、
該フレキシブルプリント配線板（２８）は余長部（２８ｃ）を有し、
前記電子ビューファインダーユニット（２５）を構成する電子ビューファインダーホルダー（３５）は、電子ビューファインダーホルダー（３５）の主平面（３５ａ）から主平面（３５ａ）と鉛直方向に延びる根本部（３５ｄ）と、前記根本部（３５ｄ）から主平面（３５ａ）に平行に伸びる先端部（３５ｅ）とから成る引っ掛け爪（３５ｂ）を有し、引っ掛け爪（３５ｂ）の先端部（３５ｅ）は、根本部（３５ｄ）よりも幅広い形状であり、フレキシブルプリント配線板（２８）の余長部２８ｃは、引っ掛け爪（３５ｂ）と主平面（３５ａ）の収納部（３７）によって狭持されるフレキシブルプリント配線板（２８）の保持構造を有することを特徴とする撮像装置（１０）。
【請求項２】
請求項１に記載のフレキシブルプリント配線板（２８）の保持構造において電子ビューファインダーユニット（２５）を構成する電子ビューファインダーホルダー（３５）に形成された引っ掛け爪（３５ｂ）の根本部（３５ｄ）の幅は狭持されるフレキシブルプリント配線板（２８）の余長部（２８ｃ）の幅以下であることを特徴とする請求項１に記載の撮像装置（１０）。
【請求項３】
請求項１または請求項２に記載のフレキシブルプリント配線板（２８）の保持構造において電子ビューファインダーユニット（２５）を構成する電子ビューファインダーホルダー（３５）に形成された引っ掛け爪（３５ｂ）に狭持されるフレキシブルプリント配線板（２８）の余長部（２８ｃ）の折り曲げの頂点部（２８ｅ）の円弧部を境界として余長部（２８ｃ）に頂点部（２８ｅ）の円弧部を除き、少なくとも１箇所以上の補強板（２８ｆ）を設けたことを特徴とする請求項１又は請求項２に記載の撮像装置（１０）。
【請求項４】
請求項１から請求項３のいずれか一項に記載のフレキシブルプリント配線板（２８）の保持構造において電子ビューファインダーユニット（２５）を構成する電子ビューファインダーホルダー（３５）に形成された引っ掛け爪（３５ｂ）に狭持されるフレキシブルプリント配線板（２８）の余長部（２８ｃ）の折り曲げの頂点部（２８ｅ）は先端部（３５ｅ）よりも幅の狭い根本部（３５ｄ）側で狭持されていることを特徴とする請求項１乃至請求項３の何れか一項に記載の撮像装置（１０）。
【発明の詳細な説明】
【技術分野】
【０００１】
本発明は、フレキシブルプリント配線板の保持構造、特に撮像装置に関するものである。
【背景技術】
【０００２】
光学像を光電変換して画像データを生成し、データファイルとして記録する撮像装置がある。撮像装置においては、可撓性を有するプリント配線板であるフレキシブルプリント配線板が多く用いられている。
【０００３】
例えば、撮像装置においては被写体像の確認のために電子ビューファインダーが採用されているものがある。電子ビューファインダーは撮像素子からの画像データを用いる。そのため、電子ビューファインダーを構成する電子ビューファインダーユニット内の表示装置はカメラ本体側の主基板と電気的に信号接続されている。そこで、電子ビューファインダーユニットの表示装置とカメラ本体側の主基板との接続にはフレキシブルプリント配線板を用いている。電子ビューファインダーユニットの組み立て作業から撮像装置全体の組み立てに至るまでフレキシブルプリント配線板は可撓性という特徴から筐体内部に固定や保持などの処理が必要である。その為、電子ビューファインダーを構成する電子ビューファインダーユニット内に用いるフレキシブルプリント配線板は組み立て作業のために余長部を設ける必要がある。
【０００４】
フレキシブルプリント配線板の余長部の長さは組み立て作業によって決定される。そして、このフレキシブルプリント配線板の余長部は組み立て作業性だけでなく、フレキシブルプリント配線板と構造体との干渉によるフレキシブルプリント配線板の破損や他の基板との接続信頼性などの懸念がある。その為、フレキシブルプリント配線板の余長部は、撮像装置の完成状態において電子ビューファインダーユニット近傍の隙間に折り畳んで収納し、さらに、フレキシブルプリント配線板と他の基板との接続信頼性を確保するために構造体の一部によって保持されている必要がある。
【０００５】
このような組み立て作業におけるフレキシブルプリント配線板の処理において作業性や信頼性の改善方法が提案されている（特許文献１、および特許文献２参照）。
【先行技術文献】
【特許文献】
【０００６】
【特許文献１】特開平７−７４４８６号公報
【特許文献２】特開２０１１−１１２８９０号公報
【発明の概要】
【発明が解決しようとする課題】
【０００７】
しかしながら、特許文献１のようにフレキシブルプリント配線板に係止穴を設けると、係止穴を設けた部分はフレキシブルプリント配線板の幅方向に外形が拡大してしまう。フレキシブルプリント配線板の固定を要する部分に穴を設けるとフレキシブルプリント配線板外形は拡大する。また、特許文献２のようにコネクタ接続端に耳部を設ける場合、接続端子の近傍は固定されるが、その間のフレキシブルプリント配線板の余長部までは固定が不十分になることがある。
【０００８】
そこで、構造体の一部に引っ掛け爪を形成して、この引っ掛け爪に対しフレキシブルプリント配線板を１８０度折り曲げて、引っ掛け爪で挟持し固定する方法が考えられる。しかし、引っ掛け爪の形成においては金型構造上フレキシブルプリント配線板と平行な面に穴があいてしまう。安定したフレキシブルプリント配線板の保持のために、引っ掛け爪を太くするとその穴にフレキシブルプリント配線板は落ち込んでしまう。さらにフレキシブルプリント配線板と平行な面に穴が無いように引っ掛け爪を形成しようとすると、金型の合わせ部であるパーティングラインが引っ掛け爪の稜線部に現れるため、パーティングラインにある段差によってフレキシブルプリント配線板を傷つける恐れがある。
【課題を解決するための手段】
【０００９】
上記課題を解決するために、本発明に係るフレキシブルプリント配線板の保持構造は、ユニットの制御回路基板と、制御回路基板を保護するカバー部材と、制御回路基板に実装されたコネクタに電気的に接続されるフレキシブルプリント配線板を有し、カバー部材にはカバー部材の主平面から主平面と鉛直方向に延びる根本部と、前記根本部から主平面に平行に伸びる先端部とから成り、先端部は、根本部から遠い部分が根本部側よりも幅広い形状となるフレキシブルプリント配線板を固定するための引っ掛け爪を設けることを特徴とする。
【発明の効果】
【００１０】
本発明によれば、フレキシブルプリント配線板の余長部分の収納の際にフレキシブルプリント配線板を１８０度折り曲げて、引っ掛け爪で挟持し固定する方法において、組み立て作業性を改善し、曲げ部が開き方向に作用する力を抑制し、フレキシブルプリント配線板を傷つけることなく安定して保持できる構成を提供することを可能とする。
【図面の簡単な説明】
【００１１】
【図１（ａ）】本発明の実施例としての撮像装置１０を説明する斜視図である。
【図１（ｂ）】本発明の実施例としての撮像装置１０を説明する斜視図である。
【図２（ａ）】本発明の実施例における撮像装置１０の上面カバーユニット２４の構成を説明する図である。
【図２（ｂ）】本発明の実施例における撮像装置１０の上面カバーユニット２４の構成を説明する図である。
【図２（ｃ）】本発明の実施例における撮像装置１０の上面カバーユニット２４の構成を説明する図である。
【図３（ａ）】本発明における電子ビューファインダーユニット２５を説明する図である。
【図３（ｂ）】本発明における電子ビューファインダーユニット２５を説明する図である。
【図４（ａ）】本発明における電子ビューファインダーホルダー３５を説明する図である。
【図４（ｂ）】本発明における電子ビューファインダーホルダー３５を説明する図である。
【図５（ａ）】本発明における上カバーフレキシブルプリント配線板２８の処理を示す図である。
【図５（ｂ）】本発明における上カバーフレキシブルプリント配線板２８の処理を示す図である。
【図５（ｃ）】本発明における上カバーフレキシブルプリント配線板２８の処理を示す図である。
【発明を実施するための形態】
【００１２】
（実施例）
以下、本発明の実施例について、図１〜４を参照しながら詳細に説明する。図１（ａ）は本発明の実施例としての撮像装置１０の構成を説明する前面の斜視図である。図１（ａ）に示すように、撮像装置１０の正面中央にはレンズ鏡筒ユニット１４がある。撮像装置１０は前面カバー１６、後面カバー１７、上面カバー１８、側面カバー１５などの複数の外装カバーによって撮像装置１０の本体部分を覆っている。ストロボユニット１９は収納状態で上面カバー１８の一部を構成している。ストロボユニット１９は手動にて発光可能な位置に移動する。ストロボ発光の選択はストロボ発光ボタン２２によって発光可否の選択を行う。上面カバー１８には外部ストロボ、外部マイク等のカメラアクセサリーを取りつける、アクセサリーシュー２３が設けられている。
【００１３】
図１（ｂ）は本発明の撮像装置１０の構成を説明する後面の斜視図である。撮像装置１０は上面に電源ボタン１１、レリーズボタン１２、モードダイヤル１３がある。液晶表示部２１は撮影画像の確認、被写体像の確認、各種カメラ設定の確認などを行うことが可能である。液晶表示部２１より上側には電子ビューファインダーの接眼窓２０がある。撮影者は電子ビューファインダーの接眼窓２０を覗くことで撮影時に被写体像の確認が可能である。
【００１４】
図２（ａ）は本発明の撮像装置１０の上面カバーユニット２４の構成を説明する斜視図である。ストロボユニット１９は、発光可能な位置を示しており、ストロボ窓２７が露出している。また、アクセサリーシュー２３はカメラアクセサリーを固定するための固定部２３ａとカメラアクセサリーとカメラとの通信のためのアクセサリーシュー接点２３ｂからなる。アクセサリーシュー２３の下側には電子ビューファインダーユニット２５がある。視度調節ダイアル２６は電子ビューファインダーユニット２５に保持されている。視度調節ダイアル２６は撮影者の視度に合わせて電子ビューファインダーユニット２５内部のレンズを動かし視度を調節するものである。上面カバーユニット２４は電子ビューファインダー２５、ストロボユニット１９、アクセサリーシュー２３が上面カバー１８によって保持され一体化されたユニットである。
【００１５】
図２（ｂ）は上面カバーユニット２４の構成詳細を説明する図２（ａ）の展開斜視図である。ストロボユニット１９は発光部を含んでおり、上面カバー１８に対し可動可能なように軸支されている。ストロボ基板２９はストロボ発光を制御するための制御回路基板である。上面カバープレート３０は上面カバーユニット２４をカメラ本体部に固定するための支持部材である。上カバーフレキシブルプリント配線板２８は不図示の主基板と上面カバーユニット２４内部のストロボ基板２９、電子ビューファインダーユニット２５、アクセサリーシュー接点２３ｂと電気的信号接続を行っている。上カバーフレキシブルプリント配線板２８は図２（ｂ）に示されるように上面カバーユニット２４内部にて折り曲げられた状態で収容されている。ここで上カバーフレキシブルプリント配線板２８は電子ビューファインダーユニット２５への電気的な接続に加えてストロボ基板２９への電気的な接続も必要である。そのため、上カバーフレキシブルプリント配線板２８はストロボ基板２９への電気的な接続後に電子ビューファインダーユニット２５への電気的な接続の作業が必要となる。
【００１６】
図２（ｃ）は、電子ビューファインダーユニット２５の内部の表示装置３３の制御回路基板３３ｂ上の接続コネクタ３３ａに上カバーフレキシブルプリント配線板２８を接続する作業前後の状態を説明している。上カバーフレキシブルプリント配線板２８の伸延部には接続端子部２８ａがある。接続端子部２８ａは上カバーフレキシブルプリント配線板２８から余長部２８ｃの延長上に設けられている。余長部２８ｃは展開された状態から余長部２８ｃ´に示すように接続コネクタ３３ａの方向に折り曲げられる。接続端子部２８ａは電子ビューファインダーユニット２５を矢印方向にスライドさせ組み込む途中で接続コネクタ３３ａに接続される。余長部２８ｃは電子ビューファインダーユニット２５を上面カバーユニット２４内部に組み込み、且つ、接続端子部２８ａが接続コネクタ３３ａに接続が可能となる余長部２８ｃの長さが必要である。
【００１７】
図３（ａ）は電子ビューファインダーユニット２５の構成詳細を説明する展開斜視図である。電子ビューファインダーベース３１ｂは不図示の複数の光学レンズを保持している。表示装置３３は電子ビューファインダーベース３１ｂに保持される。表示装置３３は液晶表示装置などが一般的であるが有機ＥＬディスプレイなど他のものであってもよい。表示装置３３は表示部の制御回路基板３３ｂを有する。制御回路基板３３ｂ上には上カバーフレキシブルプリント配線板２８との電気的な信号接続のための接続コネクタ３３ａが設けられている。テープ３４は表示装置３３近傍を密閉するために電子ビューファインダーベース３１ｂに貼り付けられている。テープ３４によって表示装置３３と不図示の光学レンズの間にゴミなどが入り込むことがない。電子ビューファインダーホルダー３５は電子ビューファインダーベース３１ｂに係止される。電子ビューファインダーホルダー３５により表示装置３３は電子ビューファインダーベース３１ｂ側に付勢されている。
【００１８】
図３（ｂ）は電子ビューファインダーホルダー３５側から見た斜視図である。電子ビューファインダーホルダー３５には表示装置３３を付勢する複数の付勢部３５ｃが一体で設けられている。また、上カバーフレキシブルプリント配線板２８の余長部２８ｃを処理するための引っ掛け爪３５ｂが一体に設けられている。引っ掛け爪３５ｂの形状を形成するために電子ビューファインダーホルダー３５の引っ掛け爪３５ｂの裏側には穴部３６がある。穴部３６は引っ掛け爪３５ｂの投影よりも大きい穴形状となる。
【００１９】
図４は図３に示した電子ビューファインダーホルダー３５の説明図である。図４（ａ）は電子ビューファインダーホルダー３５を正面から見た図である。電子ビューファインダーホルダー３５には図３で示したように表示装置３３を付勢する複数の付勢部３５ｃが電子ビューファインダーホルダー３５の主平面３５ａに一体で設けられている。主平面３５ａには引っ掛け爪３５ｂの投影よりも幅広な穴部３６がある。引っ掛け爪３５ｂは引っ掛け爪３５ｂを形成する金型の構成上、主平面３５ａに設けられた穴部３６を要する。穴部３６を設けて引っ掛け爪３５ｂを形成することで引っ掛け爪３５ｂにおいてフレキシブルプリント板２８の接触部において金型の合わせ部を避けることができる。その結果、フレキシブルプリント配線板２８の保持において傷の発生を防ぐことが可能となる。引っ掛け爪３５ｂの先端部３５ｅは根本部３５ｄより幅が広くなっている。よって穴部３６においても先端部３５ｅに対応する部分は根本部３５ｄに対応する部分よりも幅広な穴となっている。
【００２０】
図４（ｂ）は図４（ａ）のＡ−Ａ断面図である。主平面３５ａから主平面３５ａに対し鉛直方向に延びる根本部３５ｄにより引っ掛け爪３５ｂを成している。つまり引っ掛け爪３５ｂと主平面３５ａの間に間隙を設ける。引っ掛け爪３５ｂと主平面３５ａの間隙がフレキシブルプリント配線板２８の収納部３７となる。
【００２１】
図５（ａ）は電子ビューファインダーユニット２５が上面カバーユニット２４に最後まで挿入された状態を示している。電子ビューファインダーホルダー３５は上カバーフレキシブルプリント配線板２８の接続端子部２８ａを接続コネクタ３３ａに接続後に取りつけられる。余長部２８ｃは電子ビューファインダーユニット２５とストロボ基板２９の間に収納されている。
【００２２】
図５（ｂ）は上カバーフレキシブルプリント配線板２８の余長部２８ｃの収納状態を説明する図である。上カバーフレキシブルプリント配線板２８の一端は制御回路基板３３ｂ上の接続コネクタ３３ａに接続し固定された状態である。上カバーフレキシブルプリント配線板２８の他の一端も図２（ｂ）に示されたストロボ基板２９に接続され固定された状態である。上カバーフレキシブルプリント配線板２８の余長部２８ｃは１８０度折り曲げられＵ字のような状態で引っ掛け爪３５ｂと主平面３５ａの間の収納部３７に挟持されている。
【００２３】
上カバーフレキシブルプリント配線板２８の余長部２８ｃには部分的に補強板２８ｆが設けられている。上カバーフレキシブルプリント配線板２８の余長部２８ｃにおいて１８０度折り曲げられ、Ｕ字の頂点となる頂点部２８ｅの円弧に当たる部分を境界として補強板２８ｆが設けられている。上カバーフレキシブルプリント配線板２８の余長部２８ｃにおいて頂点部２８ｅは補強板２８ｆが設けられた部分よりも薄いため、剛性がなく曲がりやすい。よって上カバーフレキシブルプリント配線板２８の余長部２８ｃは矢印４０の方向に押しこむように作業すれば、余長部２８ｃはＵ字のような状態で引っ掛け爪３５ｂと主平面３５ａの間の収納部３７に挟持されるため作業が容易である。また、さらに頂点部２８ｅが曲がりやすくなるよう、配側と反対側のカバーフィルムを開口しても良い。上カバーフレキシブルプリント配線板２８の余長部２８ｃにおいて１８０度折り曲げられた頂点部２８ｅは引っ掛け爪３５ｂの先端部３５ｅより根本部３５ｄに近い位置に設ける。その為にも頂点部２８ｅにおいて円弧に当たる部分を境界として補強板２８ｆを適切に設けることで、余長部２８ｃにおけるＵ字の頂点部２８ｅを意図した位置に設けることができる。その結果、上カバーフレキシブルプリント配線板２８の１８０度折り曲げにより展開方向に発生する反力は引っ掛け爪３５ｂの先端部３５ｅにより抑制される。よって引っ掛け爪３５ｂの先端部３５ｅは根本部３５ｄより幅広いため、上カバーフレキシブルプリント配線板２８の余長部２８ｃは安定して、引っ掛け爪３５ｂにより保持される。さらに、穴部３６のスペースを用いて制御回路基板３３ｂ上の回路素子を入れ込むことで省スペースになる。
【００２４】
図５（ｃ）は上カバーフレキシブルプリント配線板２８の余長部２８ｃと電子ビューファインダーホルダー３５の関係を説明する図である。フレキシブルプリント配線板２８の斜線部は引っ掛け爪３５ｂによって収納されている。ここで穴部３６の根本部３５ｄの幅はフレキシブルプリント配線板２８の余長部２８ｃの幅Ｆｗ半分以下である。よって根本部３５ｄの幅は上カバーフレキシブルプリント配線板２８の余長部２８ｃの１８０度折り曲げられた頂点部２８ｅにおいてフレキシブルプリント配線板２８の余長部２８ｃの幅より狭くすることにより上カバーフレキシブルプリント配線板２８の余長部２８ｃが穴部３６に落ち込んでしまうことを防ぐことが可能となる。
【００２５】
以上説明したように、本実施例によれば、上カバーフレキシブルプリント配線板２８の余長部２８ｃ分の収納の際にフレキシブルプリント配線板２８を１８０度折り曲げて、引っ掛け爪３５ｂで挟持する固定する方法において、余長部２８ｃにおいて収納時にＵ字の頂点となる頂点部２８ｅの円弧に当たる部分を境界として補強板２８ｆを設け組み立て作業性を改善し、１８０度折り曲げにより展開方向に発生する反力は引っ掛け爪３５ｂの先端部３５ｅによりフレキシブルプリント基板の幅に対し十分な幅によって抑制され、上カバーフレキシブルプリント配線板２８の余長部２８ｃは１８０度折り曲げられた頂点部２８ｅは穴部３６に落ち込んでしまうことを防ぐ構成を提供することを可能とする。
【符号の説明】
【００２６】
１０  撮像装置、１８  上カバー、１９  ストロボユニット、
２５  電子ビューファインダーユニット、２８  上カバーフレキシブルプリント配線板、
２９  ストロボ基板、３５  電子ビューファインダーホルダー、３５ｂ  引っ掛け爪、
３５ｄ  根本部、３５ｅ  先端部、３６  穴部
【図１（ａ）】
2016019004.tif 000003
【図１（ｂ）】
2016019004.tif 000004
【図２（ａ）】
2016019004.tif 000005
【図２（ｂ）】
2016019004.tif 000006
【図２（ｃ）】
2016019004.tif 000007
【図３（ａ）】
2016019004.tif 000008
【図３（ｂ）】
2016019004.tif 000009
【図４（ａ）】
2016019004.tif 000010
【図４（ｂ）】
2016019004.tif 000011
【図５（ａ）】
2016019004.tif 000012
【図５（ｂ）】
2016019004.tif 000013
【図５（ｃ）】
2016019004.tif 000014